【誤訳訂正書】
【提出日】平成25年11月27日(2013.11.27)
【誤訳訂正１】
【訂正対象書類名】特許請求の範囲
【訂正対象項目名】全文
【訂正方法】変更
【訂正の内容】
【特許請求の範囲】
【請求項１】
原料カプセル（９）を導入し或いは除去するために開放でき、前記原料を浸出するために閉じることができる浸出ユニット（１）と、
通路開口（４’、２２’）を有し、前記原料カプセル（９）を前記通路開口（４’、２２’）から前記浸出ユニット（１）内へと案内するようになっている通路（４、２２）と、
前記浸出ユニット（１）が閉じられるときに前記通路開口（４’、２２’）を閉じるための閉塞部分（８１）と、
を備え、
前記閉塞部分（８１）が、
前記原料カプセル（９）が前記通路開口（４’、２２’）を介して前記浸出ユニット（１）内へ挿通され得る相対的な開放位置から、
前記通路開口（４’、２２’）が前記閉塞部分（８１）によって閉じられる相対的な閉塞位置へと、
前記通路開口（４’、２２’）に対して相対的に移動でき、
前記閉塞部分（８１）が前記閉塞位置にあるとき、前記閉塞部分（８１）が、前記通路開口（４’、２２’）の縁部を越えて延びており、
前記閉塞部分（８１）が、前記通路（４、２２）の方向（９’）に対して略交差する方向（３’）に、前記通路（４、２２）に対して相対的に移動でき、前記方向（９’）に沿って前記原料カプセル（９）が前記浸出ユニット（１）へと案内される、飲料機。
【請求項２】
前記閉塞部分（８１）が、前記通路開口（４’、２２’）上全体にわたって平坦に配置され、前記通路開口（４’、２２’）に対して相対的に移動できる略プレート形状を有し、前記飲料機が、前記閉塞部分を形成する部分（８１）を有するケーシング（８０）を有する、請求項１に記載の飲料機。
【請求項３】
前記浸出ユニットが、互いに協働する第１のアセンブリ（３）及び第２のアセンブリ（２）を備え、前記アセンブリ（２、３）のうちの少なくとも一方が、
前記通路（４、２２）の少なくとも一部を前記アセンブリ間に形成するために、前記協働するアセンブリから離れて開放位置へと前記飲料機内で移動でき、かつ、
浸出チャンバ（７’）を形成するために、前記協働するアセンブリへ向けて閉塞位置へと移動でき、
前記閉塞部分（８１）が、随意的に、前記協働するアセンブリと直接的に或いは間接的に固定される、請求項１又は２に記載の飲料機。
【請求項４】
前記第１のアセンブリ（３）は、カプセル（９）を前記浸出ユニット内に重力によって挿入する際にカプセルを所定の位置に保持するためのカプセル保持アセンブリ（３）であり、
前記第２のアセンブリ（２）は、前記カプセルを少なくとも部分的に取り囲み、前記カプセル内に水を供給するための水注入アセンブリ（２）である、請求項３に記載の飲料機。
【請求項５】
前記カプセル保持アセンブリ（３）は、前記浸出ユニットの前側部分を形成するとともに、略水平な経路に沿って移動できる態様で前記水注入アセンブリ（２）に装着され、前記水注入アセンブリ（２）は、前記ユニットの後側固定部分である、請求項４に記載の飲料機。
【請求項６】
前記カプセル保持アセンブリ（３）が、前記カプセル保持アセンブリ（３）の後方移動をもたらす前記水注入アセンブリ（２）の接続手段（１６、１７、２０、２１、２３、２４、２２１、２２２）に沿って装着され、前記接続手段が、少なくとも一対のスロット（１６、２２１、２２２）と係合する少なくとも一対のピン（１７、２０、２１）の組み合わせを備え、前記一対のピン（１７、２０、２１）が前記水注入アセンブリ（２）の一部であり、前記一対のスロット（１６、２２１、２２２）が前記カプセル保持アセンブリ（３）の一部である、請求項５に記載の飲料機。
【請求項７】
前記一対のスロット（２２１、２２２）が、前記水注入アセンブリ（２）に対する前記カプセル保持アセンブリ（３）の直線経路を与えるように配置され、そのような飲料浸出装置が、前記カプセル保持アセンブリ（３）を前記水注入アセンブリ（２）の方へ移動させるためのレバー（３０）を備える、請求項６に記載の飲料機。
【請求項８】
前記一対のスロット（１６）が、前記水注入アセンブリ（２）に対する前記カプセル保持アセンブリ（３）の螺旋経路を与えるように配置される、請求項６に記載の飲料機。
【請求項９】
前記カプセル保持アセンブリ（３）が、前記水注入アセンブリ（２）へと及び前記水注入アセンブリ（２）から手で直接駆動されるべく手で握れるようになっている外側部分を有し、前記カプセル保持アセンブリ（３）が、把持手段としての役目を果たす突出する飲料ダクト（１４、１９）を備える、請求項４〜８のいずれか一項に記載の飲料浸出ユニット。
【請求項１０】
前記カプセル保持アセンブリ（３）が、前記カプセル（９）の飲料供給箔部材（９０）を開放するための手段を備え、該開放手段が、前記カプセル（９）の前記箔部材を穿刺するための一連の穿刺起伏部と飲料のための収集チャンネルとを有するプレート（１３、１８）を備える、請求項４〜９のいずれか一項に記載の飲料浸出ユニット。
【請求項１１】
前記カプセル保持アセンブリ（３）が飲料ダクト（１４、１９）を備える、請求項４〜１０のいずれか一項に記載の飲料浸出ユニット。
【請求項１２】
前記カプセル保持アセンブリ（３）が、前記カプセル（９）のための通路を有するカプセル保持要素（１２）を備える、請求項４〜１１のいずれか一項に記載の飲料浸出ユニット。
【請求項１３】
最外ケーシング（８０）を備え、
前記アセンブリのうちの前記少なくとも一方が、前記閉塞位置から前記開放位置へ及びその逆へと直線方向（３’）に沿って並進的に或いは螺旋状に移動でき、もって、前記アセンブリのうちの前記少なくとも一方が、前記開放位置と前記閉塞位置との間を、伸縮態様で、前記最外ケーシング（８０）から外側へ移動できるとともに、前記最外ケーシング（８０）内へと内側に移動できる、請求項３〜１２のいずれか一項に記載の飲料機。
【請求項１４】
前記第１のアセンブリ（３）は、リム（９２）を有するカプセル（９）を保持するためのカプセル保持アセンブリ（３）であり、
前記第２のアセンブリ（２）は、前記カプセルを少なくとも部分的に取り囲み、前記カプセル内に水を供給するための水注入アセンブリ（２）であり、
前記通路（４、２２）には、挿入中に前記カプセル（９）の前記環状カプセルリム（９２）を案内する横スリット（２６）又はスロット（４２）が設けられており、前記通路には、前記開放位置において前記カプセルを前記アセンブリ間で保持するためのバンプ（４１）などの保持手段が、前記開放位置における前記アセンブリ間において設けられている、請求項１３に記載の飲料機。
【誤訳訂正２】
【訂正対象書類名】明細書
【訂正対象項目名】００２７
【訂正方法】変更
【訂正の内容】
【００２７】
通路４は、浸出ユニット１内へカプセル９を挿入するために設けられる。浸出ユニット１が開放されると、すなわち、保持アセンブル３がその最外位置にあると、通路４が、離間する保持アセンブリ３と注入アセンブリ２との間に管状カバー１１を貫通して形成され、通路４の開口４’を介した浸出ユニット１内へのカプセル９の挿入を許容する。浸出ユニット１が閉じられると、すなわち、保持アセンブリ３がその最内位置又は引き込み位置へ移動すると、開口４’は、通路４内へのカプセル９の導入方向９’に対して交差する方向で螺旋状に移動する。その後、図１ｂに点線で示される開口４’は、通路開口４’を閉じるためのケーシング８０の閉塞部分８１を形成するプレート状縁部下に完全に隠れる。ケーシング８０及び管状カバー１１は、通路開口４’がその螺旋状の動きを成して縁部分８１下でそれと平行に摺動するように、略平坦な僅かに弓形の対応する適合面を有する。
【誤訳訂正３】
【訂正対象書類名】明細書
【訂正対象項目名】００４９
【訂正方法】変更
【訂正の内容】
【００４９】
通路２２は、浸出ユニット１内へカプセル９を挿入するために設けられる。図２ａに示されるように、浸出ユニット１が開放すると、すなわち、保持アセンブル３がその最外位置にあると、離間する保持アセンブリ３と注入アセンブリ２との間に管状カバー１１を貫通して形成される通路２２は、通路２２の開口２２’を介した浸出ユニット１内へのカプセル９の挿入を許容する。浸出ユニット１が閉じられると、すなわち、保持アセンブリ３がその最内位置又は引き込み位置へ移動すると、開口２２’は、通路２２内へのカプセル９の導入方向９’に対して交差する方向３’に並進移動される。その後、図２ｂに点線で示される開口２２’は、通路開口２２’を閉じるためのケーシング８０の閉塞部分８１を形成するプレート状縁部下に完全に隠される。ケーシング８０及び管状カバー１１は、通路開口２２’が並進動作を成して閉塞部分８１下でそれと平行に摺動するように、略平坦な僅かに弓形の対応する適合面を有する。